【手続補正書】
【提出日】平成17年9月8日(2005.9.8)
【手続補正１】
【補正対象書類名】明細書
【補正対象項目名】特許請求の範囲
【補正方法】変更
【補正の内容】
【特許請求の範囲】
【請求項１】  仕切部材により囲まれた区画領域に発光素子が設けられた電気光学装置において、
前記区画領域の周辺部に設けられ、前記発光素子に対して電力を供給する導電部と、
前記区画領域の周辺部のうち前記導電部とは別の位置に設けられたダミー導電部とを有することを特徴とする電気光学装置。
【請求項２】  前記ダミー導電部は、前記区画領域を挟んで前記導電部と対向する位置に設けられていることを特徴とする請求項１記載の電気光学装置。
【請求項３】  前記ダミー導電部は、前記導電部と電気的に接続されていることを特徴とする請求項１又は２記載の電気光学装置。
【請求項４】  前記区画領域は所定方向を長手方向に設定され、
前記導電部及びダミー導電部は前記区画領域の長手方向両側にそれぞれ設けられていることを特徴とする請求項１〜３のいずれか一項記載の電気光学装置。
【請求項５】  前記発光素子の前記区画領域内における膜厚差の目標値に応じて、前記仕切部材の側面と前記区画領域との境界部と前記導電部及びダミー導電部のそれぞれとの距離が設定されていることを特徴とする請求項１〜４のいずれか一項記載の電気光学装置。
【請求項６】  前記仕切部材の側面と前記導電部との距離が前記仕切部材の側面と前記ダミー導電部との距離と等しいことを特徴とする請求項１〜５のいずれか一項記載の電気光学装置。
【請求項７】  前記仕切部材は、第１仕切部材と該第１仕切部材の下層の第２仕切部材とを有し、
前記第２仕切部材の側面は前記区画領域に露出しており、
前記第２仕切部材の側面と前記導電部及びダミー導電部のそれぞれとの距離が設定されていることを特徴とする請求項５記載の電気光学装置。
【請求項８】  前記仕切部材は、第１仕切部材と該第１仕切部材の下層の第２仕切部材とを有し、
前記第２仕切部材の側面は前記区画領域に露出しており、
前記第２仕切部材の側面と前記導電部との距離が前記第２仕切部材の側面とダミー導電部との距離に等しいことを特徴とする請求項７記載の電気光学装置。
【請求項９】  仕切部材により囲まれた区画領域に発光素子が設けられた電気光学装置において、
前記区画領域の周辺部に、前記発光素子に対して電力を供給する導電部が設けられ、
前記仕切部材の側面と前記区画領域との境界部と前記導電部との距離が２．５μｍ以下に設定されていることを特徴とする電気光学装置。
【請求項１０】   仕切部材により囲まれた区画領域に発光素子が設けられた電気光学装置において、
前記区画領域が導電部により囲まれたことを特徴とする電気光学装置。
【請求項１１】  前記発光素子の前記区画領域内における膜厚差の目標値に応じて前記仕切部材の側面と前記区画領域との境界部と前記導電部のそれぞれとの距離が設定されていることを特徴とする請求項９又は１０記載の電気光学装置。
【請求項１２】  前記仕切部材は、第１仕切部材と該第１仕切部材の下層の第２仕切部材とを有し、
前記第２仕切部材の側面は前記区画領域に露出しており、
前記第２仕切部材の側面と前記導電部及びダミー導電部のそれぞれとの距離が設定されていることを特徴とする請求項９記載の電気光学装置。
【請求項１３】  前記仕切部材の表面にプラズマ処理が施されていることを特徴とする請求項１〜１２のいずれか一項記載の電気光学装置。
【請求項１４】  請求項１〜請求項１３のいずれか一項記載の電気光学装置が搭載されたことを特徴とする電子機器。
【手続補正２】
【補正対象書類名】明細書
【補正対象項目名】０００６
【補正方法】変更
【補正の内容】
【０００６】
【課題を解決するための手段】
上記の課題を解決するため、本発明の電気光学装置は、仕切部材により囲まれた区画領域に発光素子が設けられた電気光学装置において、前記区画領域の周辺部に設けられ、前記発光素子に対して電力を供給する導電部と、前記区画領域の周辺部のうち前記導電部とは別の位置に設けられたダミー導電部とを有することを特徴とする。
すなわち、本発明者は、区画領域に吐出された液滴の仕切部材に対する濡れ性（親液性）は区画領域のうち導電部近傍で良好であることを見出した。換言すれば、区画領域の周辺部に導電部を設けることにより、この導電部が仕切部材に対する液滴の濡れ性を向上させることを見出した。そこで、区画領域の周辺部のうち、発光素子に対して電力を供給する導電部を設けた位置とは別の位置にダミー導電部を設けることにより、区画領域の複数位置において仕切部材に対する液滴の濡れ性が向上される。これにより、配置された液滴は区画領域内で良好に濡れ拡がるので、均一な膜厚を有する発光素子を形成でき、良好な発光特性を発揮する電気光学装置を提供できる。ここで、導電部とは発光素子に対して電力を供給する配線あるいは電極など既存のものである。
【手続補正３】
【補正対象書類名】明細書
【補正対象項目名】００１０
【補正方法】変更
【補正の内容】
【００１０】
本発明の電気光学装置において、前記発光素子の前記区画領域内における膜厚差の目標値に応じて、前記仕切部材の側面と前記区画領域との境界部と前記導電部及びダミー導電部のそれぞれとの距離が設定されていることを特徴とする。すなわち、本発明者は、導電部及びダミー導電部が区画領域に近接配置されることにより、仕切部材に対する液滴の濡れ性が向上して液滴を均一に濡れ拡がらせることができることを見出した。そこで、前記境界部と導電部及びダミー導電部のそれぞれとの距離を調整することにより、同一区画領域内における膜厚差が調整できるので、同一区画領域内における膜厚差の目標値に応じて前記距離を調整することにより、所望の均一性を有する膜厚を形成することができる。
【手続補正４】
【補正対象書類名】明細書
【補正対象項目名】００１１
【補正方法】変更
【補正の内容】
【００１１】
本発明の電気光学装置において、前記仕切部材の側面と前記導電部との距離が前記仕切部材の側面と前記ダミー導電部との距離と等しいことを特徴とする。これによれば、仕切部材に対して導電部とダミー導電部とが対称に配置される構成となるので、形成される膜の厚みも均一になる。
【手続補正５】
【補正対象書類名】明細書
【補正対象項目名】００１２
【補正方法】変更
【補正の内容】
【００１２】
本発明の電気光学装置において、前記仕切部材は、第１仕切部材と該第１仕切部材の下層の第２仕切部材とを有し、前記第２仕切部材の側面は前記区画領域に露出しており、前記第２仕切部材の側面と前記導電部及びダミー導電部のそれぞれとの距離が設定されていることを特徴とする。すなわち、第１仕切部材を例えば有機物で形成して有機仕切部材層とし、第２仕切部材を例えば無機物で形成して無機仕切部材層とし、この無機仕切部材層である第２仕切部材の側面を基準として、導電部及びダミー導電部の位置を設定することもできる。
【手続補正６】
【補正対象書類名】明細書
【補正対象項目名】００１３
【補正方法】変更
【補正の内容】
【００１３】
本発明の電気光学装置において、前記仕切部材は、第１仕切部材と該第１仕切部材の下層の第２仕切部材とを有し、前記第２仕切部材の側面は前記区画領域に露出しており、前記第２仕切部材の側面と前記導電部との距離が前記第２仕切部材の側面とダミー導電部との距離に等しいことを特徴とする。これによれば、第２仕切部材に対して導電部とダミー導電部とが対称に配置される構成となるので、形成される膜の厚みも均一になる。
【手続補正７】
【補正対象書類名】明細書
【補正対象項目名】００１４
【補正方法】変更
【補正の内容】
【００１４】
本発明の電気光学装置は、仕切部材により囲まれた区画領域に発光素子が設けられた電気光学装置において、前記区画領域の周辺部に、前記発光素子に対して電力を供給する導電部が設けられ、前記仕切部材の側面と前記区画領域との境界部と前記導電部との距離が２．５μｍ以下に設定されていることを特徴とする。すなわち、上述したように、導電部が区画領域に対して近接配置されることにより仕切部材に対する液滴の濡れ性が向上するので、前記境界部と前記導電部との距離を２．５μｍ以下に設定することにより、吐出された液滴は十分に濡れ拡がり、区画領域に設けられる膜の膜厚を均一にすることができる。
【手続補正８】
【補正対象書類名】明細書
【補正対象項目名】００１５
【補正方法】変更
【補正の内容】
【００１５】
本発明の電気光学装置は、仕切部材により囲まれた区画領域に発光素子が設けられた電気光学装置において、前記区画領域が導電部に囲まれたことを特徴とする。すなわち、区画領域の周囲に導電部を設けることによっても、形成される膜の厚みを均一にすることができる。
【手続補正９】
【補正対象書類名】明細書
【補正対象項目名】００１６
【補正方法】変更
【補正の内容】
【００１６】
この場合においても、前記発光素子の前記区画領域内における膜厚差の目標値に応じて前記仕切部材の側面と前記区画領域との境界部と前記導電部のそれぞれとの距離が設定されている構成とすることができる。また、前記仕切部材は、第１仕切部材と該第１仕切部材の下層の第２仕切部材とを有し、前記第２仕切部材の側面は前記 
区画領域に露出しており、前記第２仕切部材の側面と前記導電部及びダミー導電部のそれぞれとの距離が設定されている構成とすることができる。
【手続補正１０】
【補正対象書類名】明細書
【補正対象項目名】００１７
【補正方法】変更
【補正の内容】
【００１７】
本発明の電気光学装置において、前記仕切部材の表面にプラズマ処理が施されていることを特徴とする。これによれば、仕切部材の表面をプラズマ処理で改質することにより区画領域において液滴をより均一に濡れ拡がらせることができる。また、プラズマ処理により導電部及びダミー導電部に電荷が帯電し、この電荷の作用により濡れ性がより一層向上される。
【手続補正１１】
【補正対象書類名】明細書
【補正対象項目名】００１９
【補正方法】変更
【補正の内容】
【００１９】
ここで、本発明における電気光学装置は、仕切部材により囲まれた区画領域に発光素子を有するものであればよく、発光素子としては、有機エレクトロルミネッセンス素子や発光ダイオードが挙げられる。